(57)【要約】【目的】戸板の上端領域における塵埃の堆積を抑制し、塵埃が堆積した場合でもこれを直ぐに発見して堆積した塵埃が室内に飛散することを未然に防止できるようにする。【構成】戸枠１の内側に支持金具２Ａ，２Ｂを介して戸板３を取り付け、その戸板３が前後方向に開閉するよう構成される開き戸であり、戸板３の上端にはエッジカバー５が取り付けられる。エッジカバー５は、戸板３の上端面を覆う断面三角形状のカバー本体６を有し、その底面には戸板３の上端部を厚さ方向から挟み込む一対の突片７が形成される。又、両突片７の間でカバー本体６の底面には戸板３の上端面に設けられる溝９に挿入する固定用の突条８が形成される。【選択図】図４
2005273415.tif 000002
【特許請求の範囲】
【請求項１】
戸枠の内側に支持金具を介して戸板を取り付け、その戸板が前後方向に開閉するよう構成される開き戸において、前記戸板にその上端面を覆う断面三角形状のエッジカバーが取り付けられ、該エッジカバーの上端頂角部が戸枠の上部内面に近接乃至は接触するようにしたことを特徴とする開き戸。
【請求項２】
戸枠の内側に支持金具を介して戸板を取り付け、その戸板が前後方向に開閉するよう構成される開き戸において、前記戸板の上端にエッジカバーが取り付けられ、そのエッジカバーは戸板の上端面を覆って上端頂角部が戸枠の上部内面に近接乃至は接触する断面三角形状のカバー本体を有し、該カバー本体の底面にはその両側縁に沿って戸板の上端部を厚さ方向から挟み込む一対の突片が形成されることを特徴とする開き戸。
【請求項３】
戸枠の内側に支持金具を介して戸板を取り付け、その戸板が前後方向に開閉するよう構成される開き戸において、前記戸板の上端にエッジカバーが取り付けられ、そのエッジカバーは戸板の上端面を覆う断面三角形状のカバー本体と、該カバー本体の上端頂角部より突出して戸枠の上部内面に接触する可撓性の薄片部とを有し、前記カバー本体の底面にはその両側縁に沿って戸板の上端部を厚さ方向から挟み込む一対の突片が形成されると共に、その両突片の間で前記カバー本体の底面には戸板の上端面に設けられる溝に挿入する固定用の突条が形成されることを特徴とする開き戸。
【請求項４】
戸枠の内側に旋回支点軸をもつ上部支持金具と下部支持金具を介して戸板を取り付け、その戸板が前後方向に開閉するよう構成される開き戸において、前記戸板の上端が部分的に切り欠かれ、その切欠部に前後一対の遮蔽板で挟まれる前記上部支持金具が設けられ、この上部支持金具を挟む前後一対の遮蔽板の上部表面が互いに戸板の上端面上で交わって凸状の頂角部を形成する傾斜面とされると共に、その頂角部には上部支持金具が備える旋回支点軸を通す透孔が形成されることを特徴とする開き戸。
【発明の詳細な説明】
【技術分野】
【０００１】
本発明は食品を扱う店舗や食品工場といった衛生面が重視される場所に配置して好適な開き戸に係わり、特に戸板の上端領域に塵埃が堆積するのを防止した開き戸に関する。
【背景技術】
【０００２】
一般に、スイングドアと呼ばれる開き戸は食品を扱う店舗や食品工場などで多用されるが、係る開き戸は戸板（扉本体）の開閉が円滑に行われるよう戸枠との間に所定の隙間を形成することが通例であり、このため高い気密性を得られず、外部から塵埃が侵入したり室内空調が不十分になるなどの問題があった。
【０００３】
そこで、戸板の下端面に昇降可能な可動シール体を設け、この可動シール体により戸板の閉鎖時に戸枠下部との隙間が塞がれるようにした開き戸が提案されている（例えば、特許文献１）。
【０００４】
【特許文献１】登録実用新案第３０１７４２１号公報
【発明の開示】
【発明が解決しようとする課題】
【０００５】
然し乍ら、特許文献１に開示されるようなドアのシール装置は構造が複雑でコスト高になり、しかも戸板（ドア）の下端面と戸枠との隙間を塞ぐだけなので、その種のシール装置だけでは戸板の上端面と戸枠との間に隙間が残されるので高い気密性を得ることは困難である。特に、戸当たりのない前後両開きの開き戸では、戸板の閉鎖時においてもその上端面と戸枠との間に塵埃や空気の通り得る比較的大きな空隙が残される。
【０００６】
尚、戸板の周縁に溝を形成し、その溝にゴム板から成るパッキンを挟み込むことも従来から一般に広く行われているが、その種の開き戸も特許文献１と同じく気密性を上げるための工夫だけで、防塵対策は行われていない。
【０００７】
つまり、従来の開き戸は、人手や届かない高所にある戸板の上端面に塵埃が堆積し、これが人目に付き難いために清掃されることも無くそのまま放置されて衛生を害するという問題を抱えている。又、戸板の上端部に旋回支点軸をもつ支持金具が設けられる開き戸では、その支持金具を遮蔽するために戸板の上端前後面に遮蔽板を取り付けるが、その遮蔽板の上部は開口されているので、その内部にも塵埃が堆積してダニなどの温床になり易いという問題があった。
【０００８】
本発明は以上のような事情に鑑みて成されたものであり、その目的は戸板の上端領域における塵埃の堆積を抑制し、塵埃が堆積した場合でもこれを直ぐに発見して堆積した塵埃が室内に飛散することを未然に防止できるようにすることにある。
【課題を解決するための手段】
【０００９】
本発明は上記目的を達成するため、戸枠の内側に支持金具を介して戸板を取り付け、その戸板が前後方向に開閉するよう構成される開き戸において、前記戸板にその上端面を覆う断面三角形状のエッジカバーが取り付けられ、該エッジカバーの上端頂角部が戸枠の上部内面に近接乃至は接触するようにしたことを特徴とする。
【００１０】
又、戸枠の内側に支持金具を介して戸板を取り付け、その戸板が前後方向に開閉するよう構成される開き戸において、前記戸板の上端にエッジカバーが取り付けられ、そのエッジカバーは戸板の上端面を覆って上端頂角部が戸枠の上部内面に近接乃至は接触する断面三角形状のカバー本体を有し、該カバー本体の底面にはその両側縁に沿って戸板の上端部を厚さ方向から挟み込む一対の突片が形成されることを特徴とする。
【００１１】
又、戸枠の内側に支持金具を介して戸板を取り付け、その戸板が前後方向に開閉するよう構成される開き戸において、前記戸板の上端にエッジカバーが取り付けられ、そのエッジカバーは戸板の上端面を覆う断面三角形状のカバー本体と、該カバー本体の上端頂角部より突出して戸枠の上部内面に接触する可撓性の薄片部とを有し、前記カバー本体の底面にはその両側縁に沿って戸板の上端部を厚さ方向から挟み込む一対の突片が形成されると共に、その両突片の間で前記カバー本体の底面には戸板の上端面に設けられる溝に挿入する固定用の突条が形成されることを特徴とする。
【００１２】
更に、戸枠の内側に旋回支点軸をもつ上部支持金具と下部支持金具を介して戸板を取り付け、その戸板が前後方向に開閉するよう構成される開き戸において、前記戸板の上端が部分的に切り欠かれ、その切欠部に前後一対の遮蔽板で挟まれる前記上部支持金具が設けられ、この上部支持金具を挟む前後一対の遮蔽板の上部表面が互いに戸板の上端面上で交わって凸状の頂角部を形成する傾斜面とされると共に、その頂角部には上部支持金具が備える旋回支点軸を通す透孔が形成されることを特徴とする。
【発明の効果】
【００１３】
本発明によれば、戸板の上端面を覆うカバー本体や上部支持金具を遮蔽する遮蔽板により、戸板の上端領域における塵埃の堆積を抑制することができる。
【００１４】
特に、請求項１に係る発明では、カバー本体の上端頂角部が戸枠の上部内面に近接乃至は接触されることから塵埃の堆積を防止しながら高い気密性を得ることができ、更に請求項２に係る発明ではカバー本体の底面に戸板の上端部を厚さ方向から挟み込む一対の突片が形成されることから取り付けが簡単でカバー本体を所定位置に適正に配することができる。
【００１５】
加えて、請求項３に係る発明では、カバー本体の上端頂角部より突出して戸枠の上部内面に接触する可撓性の薄片部を有することから気密性が一段と向上する。
【００１６】
又、請求項４に係る発明では、戸板の上端部に上部支持金具が設けられる開き戸でも、その部分に塵埃が堆積することを防止できる。
【発明を実施するための最良の形態】
【００１７】
以下、本発明の開き戸を図面に基づいて詳しく説明する。図１は係る開き戸を示した正面概略図である。図１において、１は左右一対の側枠部材１Ａと上枠部材１Ｂから成る門型の戸枠であり、この戸枠１の内側には支持金具（上部支持金具２Ａ及び下部支持金具２Ｂ）を介して左右一対の戸板３が設けられる。
【００１８】
そして、一対の戸板３は上部支持金具２Ａと下部支持金具２Ｂによる片側寄りの支持位置を揺動支点として、図２のように前後方向に開閉する開き戸を構成する。尚、本例において、戸板３は前後両開き式であるが、戸枠１に戸当たりを設けて片開き式の開き戸としてもよい。又、本例において支持金具（上部支持金具２Ａ及び下部支持金具２Ｂ）はピン状の旋回支点軸（枢軸）により戸板３を揺動自在に支持するタイプであるが、これに代えて蝶番を用い、これにより側枠部材１Ａと戸板３の片側側面とを連結する構成とすることもできる。
【００１９】
ここで、戸板３の両側端面と下端面にはゴム板などから成るパッキン４が取り付けられ、上端にはその長さ方向に沿ってシール兼防塵用のエッジカバー５が取り付けられる。
【００２０】
図３はエッジカバーの横断面を示す。係るエッジカバー５は合成樹脂や合成ゴムの押出成型により得られる長尺な一体成型品（本例において軟質ポリ塩化ビニル製）で、断面三角形状のカバー本体６を有し、その底面には一対の突片７と、これにより挟まれる突条８が形成される。
【００２１】
特に、本例においてカバー本体６は肉厚１ｍｍの中空状で、前後双方の表面を傾斜面６Ａとする二等辺三角形状の横断面を有し、その高さは１０ｍｍに設定される。一方、突片７は、カバー本体６の底面両側縁に沿って一連に形成されると共に、カバー本体６の底面から下方に直角に突出される。又、突条８はカバー本体６の底面中央部から下方に直角に突出する鉤形で、これもカバー本体６の長さ方向に沿って一連に形成されるが、係る突条８は省略してもよい。
【００２２】
図４は係るエッジカバーを戸板の上端に取り付けた状態を示す。図４から明らかなように、戸板３は木材などから成る芯材３Ａをアルミニウム合金などの耐食金属板から成る表面材３Ｂで被覆した構成であり、その上端面において芯材３Ａには凹字形の溝９が形成され、その溝９内には表面材３Ｂの端部が折り込まれる。そして、エッジカバー５は一対の突片７が戸板３の上端部を厚さ方向から挟み込む状態で戸板３の上端に取り付けられ、このとき溝９内に突条８が挿入されてその先端部が表面材３Ｂの折曲部分に係止されるようにしてある。
【００２３】
このため、エッジカバー５はがたつき無く固定され、戸板３の上端面はカバー本体６により覆われる。尚、カバー本体６はその前後表面が傾斜面６Ａとされるために塵埃が堆積し難く、視認性も上がるために塵埃が堆積した場合でもこれを早期に発見して清掃などを施すことにより塵埃の飛散を未然に防止することができる。又、カバー本体６の上端頂角部６Ｂは、戸枠１の上部内面（上枠部材１Ｂの内面）に０．１〜１０ｍｍ程度の間隙をあけて近接されるか、又は接触されるのであり、このため戸板３の閉鎖時において高い気密性を得ることができる。
【００２４】
ここで、以上のようなエッジカバー５は戸板３の幅と同じ長さにし、戸板３の上端面をその全長に亙って被覆することが好ましいが、図１のように戸板３の上端部に上部支持金具２Ａが設けられる場合、その部分は後述するような遮蔽板により防塵性が確保される。
【００２５】
戸板３に上部支持金具２Ａを設ける場合、図５のように戸板３の上端は部分的に凹字形に切り欠かれ、この切欠部１０内に上部支持金具２Ａが配され、これが図６に示すような前後一対の遮蔽板１１により遮蔽される構成とされる。
【００２６】
係る遮蔽板１１は、上記の切欠部１０において上部支持金具２Ａを遮蔽すべく戸板３の前後面に固定される部材であり、特に係る一対の遮蔽板１１はその上部表面が互いに戸板３の上端面上で交わって凸状の頂角部１１Ｂを形成する傾斜面１１Ａとされる。又、その頂角部１１Ｂには上部支持金具の旋回支点軸１２を通す透孔１１Ｃが形成され、その透孔１１Ｃから突出される旋回支点軸１２は図７のようにアングルプレート１３などを介して戸枠１（上枠部材１Ｂ）の内面に固定される。尚、図７において、上部支持金具２Ａは旋回支点軸１２により戸板３を揺動自在に吊支するものであるが、旋回支点軸１２を戸板３に固定し、その先端を戸枠１の内部に挿入するものでもよい。
【００２７】
以上のような遮蔽板１１によれば、その上部表面が切欠部１０の上部を覆う傾斜面１１Ａとされるために、戸板３の上端における上部支持金具２Ａの配置部分においても高い防塵効果を得ることができる上、係る遮蔽板１１の上端頂角部１１Ｂも戸枠１の内面（上枠部材１Ｂの内面）に０．１〜１ｍｍ程度の間隙をあけて近接されるか、又は接触されるため、戸板３の閉鎖時において高い気密性を得ることができる。
【００２８】
尚、一対の遮蔽板１１は頂角部１１Ｂを形成する上端を接続して一体化することもできる。又、戸板３の上端に上部支持金具２Ａが設けられる場合でも、上記例のような遮蔽板１１を用いず、上記のようなエッジカバー３を戸板３の上端全体に取り付けて上部支持金具２Ａを遮蔽することもできる。これにはエッジカバー５の突片７を、切欠部１０を遮蔽できる程度の長さに設定し、旋回支点軸１２を突出させる部分でカバー本体の頂角部６Ｂに穿孔を施せば良い。但し、この場合には、切欠部１０の位置において突条８が排除される。
【００２９】
以上、発明について説明したが、エッジカバーは上記のような形態に限らず、図８〜図１３に示すようなエッジカバー１５，２５，３５，４５，５５としてもよい。尚、以下の説明において上記例と変更なき部分には同一符号を付して詳細な説明を省略する。
【００３０】
図８において、エッジカバー１５は、カバー本体６に可撓性を有する薄片部１６を一体に形成したもので、その薄片部１６はカバー本体６の上端頂角部６Ｂより上方に突出される。そして、係るエッジカバー１５も図９に示すように戸板３の上端に取り付けられ、戸板３の閉鎖時において薄片部１６の先端が変形した状態で戸枠１の内面（上枠部材１Ｂの内面）に接触するようにしてある。
【００３１】
従って、係るエッジカバー１５もカバー本体６により戸板３の上端面に塵埃が堆積するのを防止しながら、高い気密性を得ることができる。
【００３２】
次に、図１０に示すエッジカバー２５は、カバー本体２６を片側のみに傾斜面２６Ａが形成される断面直角三角形状としたもの、図１１はカバー本体２６を片側のみに傾斜面２６Ａが形成される断面直角三角形状としてその上端頂角部２６Ｂに図８のエッジカバー１５と同様の薄片部１６を突設したものであり、これらエッジカバー２５，３５も戸板３の上端に取り付けて上記例と同様の作用効果を得ることができる。
【００３３】
又、図１２のエッジカバー４５はカバー本体６のみで構成されるもの、図１３のエッジカバー５５はカバー本体６とその上端頂角部６Ｂより突出する薄片部１６とで構成されるもので、これらのエッジカバー４５，５５は戸板３の上端面にカバー本体６の底面を接着剤で固定するなどして取り付けられるが、これらのエッジカバー４５，５５でも戸板３の上端面を覆って上記例と同様の作用効果を得ることができる。
【図面の簡単な説明】
【００３４】
【図１】本発明に係る開き戸の一例を示す正面概略図
【図２】戸板の開閉状態を示す平面概略図
【図３】エッジカバーの横断面図
【図４】図３のエッジカバーを戸板の上端に取り付けた状態を示す部分断面図
【図５】上部支持金具の配置部分を示す斜視図
【図６】遮蔽板により上部支持金具を遮蔽した状態を示す斜視図
【図７】上部支持金具の配置部分を示す断面図
【図８】エッジカバーの変更例を示す横断面図
【図９】図８のエッジカバーを戸板の上端に取り付けた状態を示す部分断面図
【図１０】エッジカバーの変更例を示す横断面図
【図１１】エッジカバーの変更例を示す横断面図
【図１２】エッジカバーの変更例を示す横断面図
【図１３】エッジカバーの変更例を示す横断面図
【符号の説明】
【００３５】
１  戸枠
２Ａ  支持金具（上部支持金具）
２Ｂ  支持金具（下部支持金具）
３  戸板
５，１５，２５，３５，４５，５５  エッジカバー
６，２６  カバー本体
６Ａ，２６Ａ  傾斜面
６Ｂ，２６Ｂ  頂角部
７  突片
８  突条
９  溝
１０  切欠部
１１  遮蔽板
１１Ａ  傾斜面
１１Ｂ  頂角部
１１Ｃ  透孔
１２  旋回支点軸
１６  薄片部
【図１】
2005273415.tif 000003
【図２】
2005273415.tif 000004
【図３】
2005273415.tif 000005
【図４】
2005273415.tif 000006
【図５】
2005273415.tif 000007
【図６】
2005273415.tif 000008
【図７】
2005273415.tif 000009
【図８】
2005273415.tif 000010
【図９】
2005273415.tif 000011
【図１０】
2005273415.tif 000012
【図１１】
2005273415.tif 000013
【図１２】
2005273415.tif 000014
【図１３】
2005273415.tif 000015